(57)【要約】【課題】移動装置のコンテクスト情報に基づきワイヤレスネットワークがページングチャンネル動作を最適化する。【解決手段】一実施形態において、ワイヤレスネットワークは、セルラーネットワーク（例えば、ＬＴＥ進歩型）であり、そしてベースステーション及びセルラーユーザ装置の両方がページング合意を動的に交換し維持する。ページング合意は、ページングチャンネル動作を制限し、関係のない無線リソースの不要なスキャニング及び使用を最小にする。そのようなページングメカニズムは、ベースステーションと移動装置との間のエアインターフェイスに制限され、そして既存のレガシー装置及びネットワークエンティティと両立性がある。適切にイネーブルされるユーザ装置を伴うネットワークは、それらのリソースの利用を改善する。ベースステーションは、好都合にも、解放されたリソースを回収して、他のサービスをサポートすることができる。【選択図】図７
2020156095.tif 000002
【特許請求の範囲】
【請求項１】
ページングチャンネルを受信するために移動装置により使用される選択されたリソースに基づいてワイヤレスネットワークのベースステーションから移動装置をページングする方法において、
移動装置によって使用されるリソースに関する情報を、移動装置がそのリソースを選択するときに受信する段階と、
前記使用されるリソースのページングチャンネルのみを使用してベースステーションから移動装置へページング情報を送信する段階と、
を備え、前記使用されるリソースの情報が存在しない場合は、前記ページング情報を移動装置へ送信しない、方法。
【請求項２】
前記ベースステーションは、ＬＴＥ準拠のｅＮｏｄｅＢを含み、前記移動装置は、ＬＴＥ準拠のＵＥを含む、請求項１に記載の方法。
【請求項３】
前記選択されたリソースは、少なくとも１つのコンポーネントキャリア（ＣＣ）を含む請求項２に記載の方法。
【請求項４】
前記ベースステーションは、少なくとも１つのコンポーネントキャリアに対して２０ＭＨｚの最大帯域巾をサポートするように構成されたＬＴＥ−Ａ（長期進化進歩型）準拠のｅＮｏｄｅＢを含む、請求項３に記載の方法。
【請求項５】
前記ベースステーションは、少なくとも１つのレガシーＬＴＥ（長期進化）ページングリソースとの後方互換性のあるＬＴＥ−Ａ（長期進化進歩型）準拠のｅＮｏｄｅＢを含む、請求項１に記載の方法。
【請求項６】
ページングチャンネルを受信するために移動装置により使用される前記選択されたリソースは、アイドル（非接続）モードで使用される、請求項１に記載の方法。
【請求項７】
デジタルプロセッサと、
前記プロセッサとデータ通信する無線インターフェイスと、
前記プロセッサとデータ通信する記憶装置と、
を備え、前記記憶装置は、前記デジタルプロセッサにより実行されたときに、
移動装置から無線インターフェイスを経て更新メッセージを受信するのに応答して、
移動装置とのページング合意をネゴシエーションし、そして
タイミング機能をスタートさせ、
無線インターフェイスを経て指示を受信するのに応答して、前記タイミング機能をリセットし、そして
前記タイミング機能が満了になるのに応答して、前記ページング合意を削除する、
というコンピュータ実行可能なインストラクションを含むものである、ベースステーション装置。
【請求項８】
前記プロセッサとデータ通信する広帯域インターフェイスを更に備え、この広帯域インターフェイスを経て移動装置にアドレスされたネットワークページを受信するのに応答して、前記装置は、更に、
前記ページング合意の存在を決定し、
前記ページング合意が存在しない場合には、前記ネットワークページを無視し、そして  前記ページング合意が存在する場合には、前記ページング合意に基づいて移動装置へページングチャンネルメッセージを送信する、請求項７に記載の装置。
【請求項９】
前記指示は、実質的に周期的な心臓鼓動メッセージを含み、そして前記タイミング機能は、ウオッチドッグタイマーである、請求項７に記載の装置。
【請求項１０】
前記ベースステーション装置及び移動装置は、各々、ＬＴＥ−Ａ（長期進化進歩型）準拠である、請求項７に記載の装置。
【請求項１１】
デジタルプロセッサと、
前記プロセッサとデータ通信するワイヤレスインターフェイスと、
前記プロセッサとデータ通信する記憶装置と、
を備え、前記記憶装置は、コンピュータ実行可能なインストラクションを含み、このインストラクションは、前記デジタルプロセッサにより実行されたときに、
更新メッセージを送信させ、更新メッセージは、その受信者がページング合意を発生しそして第１スケジュールを有するタイミング機能を呼び出すようにさせる構成とされ、    前記第１スケジュールとは異なる第２スケジュールを有する第２メッセージを送信させ、この第２メッセージは、前記ページング合意を拡張させるよう構成される、移動通信装置。
【請求項１２】
前記第２メッセージは、更に、受信者がタイミング機能を再スタートさせるように構成される、請求項１１に記載の装置。
【請求項１３】
前記移動装置は、バッテリ電源を有するＬＴＥ−Ａ（長期進化進歩型）準拠のセルラー装置を含み、前記ページング合意の実施で、前記移動装置がページを受信するためにアイドルモード動作中に著しくチェックするリソースを減少することによって前記電源からの電力の消費を減少させる、請求項１１に記載の装置。
【請求項１４】
前記第１スケジュール及び第２スケジュールは、各々、第１及び第２周期を含み、その第２周期は、第１周期より短い、請求項１３に記載の装置。
【請求項１５】
前記ページング合意は、少なくとも、（ｉ）移動装置をページングするのに使用されるコンポーネントキャリアと、（ii）第２メッセージを周期的に送信するのに使用される少なくとも１つのタイミングパラメータと、の仕様を含む、請求項１１に記載の装置。
【請求項１６】
ワイヤレスネットワークの複数のベースステーションから移動装置へページングメッセージを効率的に送信する方法において、
ベースステーションのサブセット内で、少なくとも１つのベースステーションと移動装置との間にページング合意を発生する段階であって、前記少なくとも１つのベースステーションは、前記サブセットの一部分である段階と、
前記少なくとも１つのベースステーションにコンテクスト情報を記憶する段階と、
前記複数のベースステーションのサブセットにおいて移動装置のためのデータを受信する段階と、
前記発生されたページング合意を有する前記少なくとも１つのベースステーションのみからページングメッセージを送信する段階と、
を備えた方法。
【請求項１７】
前記コンテクスト情報は、移動装置に利用できる少なくとも１つのページングリソースの記述を含む、請求項１６に記載の方法。
【請求項１８】
前記移動装置は、非接続のアイドルモードで動作する、請求項１６に記載の方法。
【請求項１９】
マルチセルネットワークでページング動作を行う方法において、
複数のベースステーションに関連した追跡エリアを指定する段階と、
移動装置を追跡エリアに関連付けする段階と、
少なくとも移動装置を使用して、移動装置のページングを行うための複数のベースステーションのサブセットのみを指定する段階と、
を備えた方法。
【請求項２０】
前記ネットワークは、複数のベースステーションと動作通信するコア部分を備え、このコア部分は、ベースステーションのサブセットの仕様で評価されない、請求項１９に記載の方法。
【請求項２１】
前記移動装置及びベースステーションは、長期進化進歩型（ＬＴＥ−Ａ）準拠であり、前記コア部分は、ＬＴＥ準拠であるが、長期進化進歩型（ＬＴＥ−Ａ）準拠ではない、請求項２０に記載の方法。
【発明の詳細な説明】
【技術分野】
【０００１】
本発明は、一般的に、ワイヤレス通信及びデータネットワークの分野に係る。より詳細には、１つの規範的な態様において、本発明は、ワイヤレス通信及びデータネットワークにおけるページング送信を移動装置のコンテクスト情報に基づいて最適化するための方法及び装置に関する。
【０００２】
優先権及び関連出願：本願は、２００９年１０月３０日に出願された同じ名称の米国特許出願第１２／６１０，１４５の優先権を主張するもので、これは、２００９年３月２３日に出願された“Methods and Apparatus for Optimizing Paging Mechanisms and Publication of Dynamic Paging Mechanisms”と題する共通所有の同時係争中の米国特許出願第１２／４０９，３９８号に関連し、各出願は、参考としてここにそのまま援用される。
【０００３】
著作権：本特許文書の開示の一部分は、著作権保護を受ける資料を含む。著作権所有者は、特許商標庁の特許ファイル又は記録に現れるように特許文書又は特許開示を誰かが複写再現することに異議を唱えるものではなく、著作権の全ての権利は何であれ保存されるものとする。
【背景技術】
【０００４】
ユニバーサルモバイルテレコミュニケーションズシステム（ＵＭＴＳ）は、「第三世代」又は「３Ｇ」セルラー電話技術で規範的に実施されものである。ＵＭＴＳ規格は、第三世代パートナーシッププロジェクト（３ＧＰＰ）と称される協力団体によって指定されている。３ＧＰＰは、インターナショナルテレコミュニケーションズユニオン（ＩＴＵ）により規定された要求に応じて、とりわけ、ヨーロッパ市場をターゲットとする３Ｇセルラー無線システムとしてＵＭＴＳを採用した。ＩＴＵは、国際無線及びテレコミュニケーションを標準化し規制している。ＵＭＴＳに対する改善は、第四世代（４Ｇ）技術への将来の進化をサポートすることである。
【０００５】
現在関心がもたれている話題は、改良されたシステム容量及びスペクトル効率を通してパケットデータ送信に最適化された移動無線通信システムに向かってＵＭＴＳを更に開発することである。３ＧＰＰの環境では、この点に関する活動が一般的な用語「ＬＴＥ」（長期進化）のもとで要約されている。その目的は、他のものの中でも、最大正味送信レートを将来的に著しく高めることであり、即ち、ダウンリンク送信方向には３００Ｍｂｐｓ程度のそしてアップリンク送信方向には７５Ｍｂｐｓ程度の速度にすることである。
【０００６】
３ＧＰＰの更なる進歩は、ＬＴＥの中で、「ＬＴＥ進歩型」又は「ＬＴＥ−Ａ」と称されるＩＭＴ進歩型無線インターフェイス技術に向かって研究されている。ＬＴＥ進歩型の研究の範囲及び目的に関する詳細が、とりわけ、ＮＴＴ  ＤｏＣｏＭｏ等の“Further advancements for E-UTRA (LTE-Advanced)”と題するＲＰ−０８０１３７に述べられており、その内容は、参考としてここにそのまま援用される。ＩＭＴ進歩型の活動が開始され、そしてＩＴＵ−Ｒ（インターナショナルテレコミュニケーションズユニオン−無線通信セクタ）によって案内されている。候補のＩＭＴ進歩型システムによりサポートされるべき重要な特徴は、ＩＴＵ−Ｒにより設定され、他のものの中で、（１）高クオリティの移動サービス、（２）ワールドワイドローミング能力、並びに（３）高移動度環境については１００Ｍｂｐｓそして低移動度環境については１Ｇｂｐｓのピークデータレートを含む。
【０００７】
ＬＴＥ−Ａに関連した３ＧＰＰの現在の説明は、３ＧＰＰ  ＴＳ  ３６．９１３：“Requirement for further advancements for E-UTRA (LTE-Advanced)”の要求に基づいて、スペクトル効率、セルエッジスループット、カバレージ、及び待ち時間に関してＬＴＥを更に進化させるための技術に焦点が置かれ、その内容は、参考としてここにそのまま援用される。その候補技術は、（１）マルチホップリレー、（２）ダウンリンクネットワークマルチ入力マルチ出力（ＭＩＭＯ）アンテナ技術、（３）スペクトルの集合による２０ＭＨｚより大きな帯域巾のサポート、（４）柔軟なスペクトル使用／スペクトル共有、及び（５）セル間干渉管理。又、レガシーＬＴＥネットワークとの後方互換性も、将来のＬＴＥ−Ａネットワークの重要な要求であり、即ちＬＴＥ−Ａネットワークは、ＬＴＥユーザ装置（ＵＥ）もサポートし、そしてＬＴＥ−Ａ  ＵＥは、ＬＴＥネットワークで動作することができる。
【０００８】
従来のページングメカニズム
ＵＭＴＳ及びＬＴＥのような多くの従来のセルラー移動無線通信システムには、ページングメカニズムが使用される。ページングメカニズムは、移動装置が、不使用の間に減少又は「アイドル」状態で動作することにより電力消費を最小にすることができる。ＵＥは、ページング通知を受信すると、「ウェイクアップ」して通知に応答する。
【０００９】
従来技術では、ワイヤレスシステム内のページングメカニズムに対する種々の解決策が証明されている。例えば、ほとんどのセルラーネットワーク内で、ネットワークオペレータは、アイドルの移動装置のおおよその位置又は「追跡エリア」（ＴＡ）を維持する。各ＴＡは、多数のセルより成る。移動装置がページングされるとき、ＴＡ内の全ての指定セルがページング通知を送信する。おそらく、移動装置は、それがＴＡから出ない限り、ページング通知を受信しなければならない。不都合なことに、良好なページングカバレージを与える追跡エリアが大きいほど、比例的に大きな無線スペクトル及びリソースも消費し、従って、従来の解決策は、リソース利用のためにカバレージエリアを取り引きする。
【００１０】
初期のＬＴＥ−Ａネットワークは、スペクトル帯域巾を自由に柔軟に分断及び／又は集合させる。しかしながら、残念なことに、そのようなスペクトルの柔軟性は、ページングを著しく複雑なものにし、即ちＵＥが追跡エリアを通過するときに、帯域巾の使用が大幅に変化し得る。例えば、ＵＥは、一般的に、ページングメッセージに使用されるリソース構成を知らない。同様に、ネットワークは、ＵＥがページングチャンネル受信のためにどのリソースを監視しているか知らない。従って、既存のネットワークは、移動装置との連絡が再確立されるまで、ＴＡの各セルに対して全セル帯域巾を経てページングチャンネルメッセージを送信する。
【発明の概要】
【発明が解決しようとする課題】
【００１１】
従って、分断マルチ帯域動作能力及び柔軟なリソースを有するネットワークに特に対処するための適当なページングメカニズムが要望される。そのような改良された解決策は、既存の無線装置及び他のワイヤレス装置に対するユーザの経験に悪影響を及ぼすことなく（即ち、後方互換性を保ちながら）、シームレスに動作するのが理想的である。
【００１２】
又、新規なＬＴＥ進歩型アーキテクチャーの複雑さに特に対処するページングメカニズムのための改良された装置及び方法も要望される。ＬＴＥ進歩型システムアーキテクチャーは、分断マルチ帯域能力と、ＯＦＤＭアクセスと、レガシーＵＥ及び新規ＵＥの混合ポピュレーションとを結合する。このアーキテクチャー内でページングするための既存のメカニズムは、最適には達しないものである。
【課題を解決するための手段】
【００１３】
本発明は、ワイヤレスネットワークにおいてページングするための改良された装置及び方法を提供することにより前記要望を満足する。本発明の１つの態様において、ワイヤレスネットワークのベースステーションから移動装置をページングする方法が開示される。一実施形態において、ページングは、ページングチャンネルを受信するために移動装置により使用される選択されたリソースに基づくものであり、そしてこの方法は、移動装置により使用されるリソースに関する情報を、移動装置がそのリソースを選択するときに受信し、そして使用されるリソースのページングチャンネルのみを使用してベースステーションから移動装置へページング情報を送信することを含む。使用されるリソースの情報が存在しない場合には、ページング情報が移動装置へ送信されない。
【００１４】
１つの変形例において、ベースステーションは、ＬＴＥ準拠のｅＮｏｄｅＢを含み、移動装置は、ＬＴＥ準拠のＵＥであり、選択されたリソースは、少なくとも１つのコンポーネントキャリア（ＣＣ）を含む。
【００１５】
別の変形例において、ベースステーションは、現存のＬＴＥ装置との後方互換性を維持するために少なくとも１つのコンポーネントキャリアに対して２０ＭＨｚの最大帯域巾をサポートするよう構成されたＬＴＥ−Ａ（長期進化進歩型）準拠のｅＮｏｄｅＢである。ページングチャンネルを受信するために移動装置により使用される選択されたリソースは、アイドル（非接続）モードで使用される。
【００１６】
本発明の第２の態様において、ベースステーション装置が開示される。一実施形態において、この装置は、デジタルプロセッサと、プロセッサとデータ通信する無線インターフェイスと、プロセッサとデータ通信する記憶装置とを備え、記憶装置は、デジタルプロセッサにより実行されたときに、（ｉ）移動装置から無線インターフェイスを経て更新メッセージを受信するのに応答して、移動装置とのページング合意をネゴシエーションしそしてタイミング機能をスタートさせ、（ii）無線インターフェイスを経て指示を受信するのに応答して、タイミング機能をリセットし、そして（iii）タイミング機能が満了になるのに応答して、ページング合意を削除する、というコンピュータ実行可能なインストラクションを含むものである。
【００１７】
１つの変形例において、前記装置は、更に、プロセッサとデータ通信する広帯域インターフェイスを備え、その広帯域インターフェイスを経て移動装置にアドレスされたネットワークページを受信するのに応答して、前記装置は、更に、ページング合意の存在を決定し、ページング合意が存在しない場合には、ネットワークページを無視し、そしてページング合意が存在する場合には、ページング合意に基づいて移動装置へページングチャンネルメッセージを送信する。
【００１８】
別の変形例において、前記指示は、実質的に周期的な心臓鼓動メッセージを含み、そして前記タイミング機能は、ウオッチドッグタイマーである。
【００１９】
更に別の変形例では、ベースステーション装置及び移動装置は、各々、ＬＴＥ−Ａ（長期進化進歩型）準拠である。
【００２０】
本発明の第３の態様において、移動通信装置が開示される。一実施形態において、この装置は、デジタルプロセッサと、プロセッサとデータ通信するワイヤレスインターフェイスと、プロセッサとデータ通信する記憶装置とを備え、記憶装置は、コンピュータ実行可能なインストラクションを含む。このインストラクションは、デジタルプロセッサにより実行されたときに、更新メッセージを送信させ、更新メッセージは、その受信者がページング合意を発生しそして第１スケジュールを有するタイミング機能を呼び出すようにさせる構成とされ；更に、第１スケジュールとは異なる第２スケジュールを有する第２メッセージを送信させ、この第２メッセージは、ページング合意を拡張させるよう構成される。
【００２１】
１つの変形例において、第２メッセージは、更に、受信側ベースステーションがタイミング機能を再スタートさせるように構成される。
【００２２】
別の変形例において、ページング合意は、少なくとも、（ｉ）移動装置をページングするのに使用されるコンポーネントキャリアと、（ii）第２メッセージを周期的に送信するのに使用される少なくとも１つのタイミングパラメータと、の仕様を含む。
【００２３】
本発明の第４の態様において、ページングメッセージを効率的に送信する方法が開示される。一実施形態において、メッセージがワイヤレスネットワークの複数のベースステーションから移動装置へ送信され、前記方法は、ベースステーションのサブセット内で、少なくとも１つのベースステーションと移動装置との間にページング合意を発生し、少なくとも１つのベースステーションは、サブセットの一部分であり、少なくとも１つのベースステーションにコンテクスト情報を記憶し、複数のベースステーションのサブセットにおいて移動装置のためのデータを受信し、そして前記発生されたページング合意を有する少なくとも１つのベースステーションのみからページングメッセージを送信することを含む。
【００２４】
１つの変形例において、コンテクスト情報は、移動装置に利用できる少なくとも１つのリソースの記述を含む。
【００２５】
別の変形例において、移動装置は、非接続のアイドルモードで動作する。
【００２６】
本発明の第５の態様において、マルチセルネットワークでページング動作を行う方法が開示される。一実施形態において、この方法は、複数のベースステーションに関連した追跡エリアを指定し、移動装置を追跡エリアに関連付けし、そして少なくとも移動装置を使用して、移動装置のページングを行うための複数のベースステーションのサブセットのみを指定することを含む。
【００２７】
１つの変形例において、ネットワークは、複数のベースステーションと動作通信するコアネットワークを備え、このコアネットワークは、ベースステーションの指定されたサブセットについて知らされていない。移動装置及びベースステーションは、長期進化進歩型（ＬＴＥ−Ａ）準拠であり、コアネットワークは、ＬＴＥ準拠であるが、長期進化進歩型（ＬＴＥ−Ａ）準拠ではない。
【００２８】
本発明の第６の態様において、コンピュータ読み取り可能な装置が開示される。一実施形態において、この装置は、少なくとも１つのコンピュータプログラムを有する記憶媒体を備え、その少なくとも１つのプログラムは、セルラーネットワーク内の移動装置に対する電力効率の良いページング動作を可能にするように構成される。
【００２９】
本発明の第７の態様において、ワイヤレスネットワークが開示される。一実施形態において、このネットワークは、ＬＴＥ準拠のセルラーネットワークであり、ネットワークの各部分（即ち、ベースステーション及びＵＥ）は、ＬＴＥ−Ａ準拠であって、ＬＴＥ−Ａの利点を、電力及びリソース効率の良いページングモード動作で実現することができる。
【００３０】
本発明の他の特徴及び効果は、添付図面及び規範的実施形態の以下の詳細な説明を参照することにより当業者に直ちに理解されるであろう。
【図面の簡単な説明】
【００３１】
【図１Ａ】典型的な従来の時分割多重アクセス（ＴＤＭＡ）実施の時間及び周波数プロットである。
【図１Ｂ】典型的な従来の周波数分割多重アクセス（ＦＤＭＡ）実施の時間及び周波数プロットである。
【図１Ｃ】典型的な従来のコード分割多重アクセス（ＣＤＭＡ）実施の時間及び周波数プロットである。
【図１Ｄ】ＴＤＭＡと組み合わせて使用される典型的な従来の直交周波数分割多重アクセス（ＯＦＤＭＡ）実施の時間及び周波数プロットである。
【図２】全デュープレックスＦＤＤ、半デュープレックスＦＤＤ及びＴＤＤを含む種々の従来のデュープレックス方法のグラフ表示である。
【図３】従来のＬＴＥ  ＦＤＤシステムのための規範的フレーム構造タイプのグラフ表示である。
【図４】従来のＬＴＥ２段階ページングメカニズムのタイミングのグラフ表示である。
【図５】従来のＬＴＥ−Ａ２段階ページングメカニズムのタイミングのグラフ表示である。
【図６】移動装置へページング通知を送信する従来のセルラーシステムのグラフ表示である。
【図７】本発明の一実施形態により移動装置へページング通知を送信する規範的セルラーシステムのグラフィック表示である。
【図８】本発明によりページング合意を確立して維持するための一般的な方法の１つの規範的実施形態を示す論理フローチャートである。
【図９】図８の一般的方法に基づいてセルラー無線システムにおいて複数の当事者間にページング合意を確立する方法を更に述べる梯子図である。
【図１０】本発明によりコンテクスト情報を効率的に使用してページングチャンネルメッセージを送信するための一般的方法の１つの規範的実施形態を示す論理的フローチャートである。
【図１１】図１０の一般的方法に基づきコンテクスト情報を使用して移動装置をページングする方法を更に述べる梯子図である。
【図１２】本発明の方法を実施するためのベースステーション装置の一実施形態を示す機能的ブロック図である。
【図１３】本発明の原理によりコンテクスト情報を含む更新メッセージフォーマットの一実施形態のグラフ表示である。
【図１４】本発明の原理によりページング合意を含む確認メッセージフォーマットの一実施形態のグラフ表示である。
【図１４Ａ】本発明の原理により１つの規範的なｅＮＢに記憶されるページング合意エントリーの一実施形態のグラフ表示である。
【図１５】本発明の方法を実施するためのクライアント装置（例えば、ＵＥ）の一実施形態を示す機能的ブロック図である。
【発明を実施するための形態】
【００３２】
全体にわたって同様の部分が同じ番号で示された添付図面を参照する。
【００３３】
概略
１つの態様において、本発明は、ワイヤレス通信システム内のページングチャンネル動作をコンテクスト情報に基づいて変更するための方法及び装置を開示する。この特徴は、例えば、ページング動作に使用される帯域巾をベースステーションが著しく減少できるようにする。一実施形態において、追跡エリアのベースステーションと移動装置との間でページング合意が交換される。ベースステーション及び移動装置は、将来のページングチャンネルトランザクション（例えば、適当なコンポーネントキャリア、タイミング、等）のためにページング合意に従う。ページング合意の有効性を自動的に保証するための付加的な特徴が開示される。
【００３４】
そのような方法及び装置は、とりわけ、ＬＴＥ進化型アーキテクチャーのように、分断マルチ帯域動作能力及び柔軟なリソース割り当て／利用を有するネットワーク内のページング能力の管理に対処するのに特に有用である。
【００３５】
本発明の１つの具現化において、移動装置コンテクスト情報は、移動装置アイデンティティ、ハードウェアバージョン、デフォールトリフレッシュタイマー周期、１つ以上の示唆された無線リソース、ベースステーション受信情報、等、の１つ以上を含む。コンテクスト情報は、ページング合意を決定するためにベースステーションによって評価される。ある実施形態では、移動装置は、複数のベースステーションとの複数のページング合意を同時に維持することができる。
【００３６】
本発明の別の態様において、移動装置又はベースステーションのいずれかによりページング合意を周期的にリフレッシュする方法及び装置が開示される。ある実施形態では、リフレッシュされないページング合意が終了される。別の実施形態では、リフレッシュされないページング合意がリバイバル手順をトリガーし、元のページング合意を回復させる。より一般的には、ページング合意の予期しない振舞いに対する幅広い解決策が開示される。ある具現化では、（ページング合意に対して）矛盾したページング振舞いは、ページング合意を終了させる。同様に、矛盾したページング振舞いも、ページングメッセージ配信のための再試みのようなリバイバル又は回復アクションをトリガーする。
【００３７】
規範的実施形態の詳細な説明
本発明の規範的な実施形態を以下に詳細に説明する。これらの実施形態は、主として、ＵＭＴＳワイヤレスネットワークについて説明し、より特定すれば、第四世代（４Ｇ）のＵＭＴＳ、ＬＴＥ及びＬＴＥ−Ａネットワークに対する変形例について説明するが、当業者であれば、本発明がそれに限定されないことが明らかであろう。実際に、本発明の種々の態様は、ここに述べるページングメカニズムから利益が得られるいかなるワイヤレスシステム（例えば、セルラーネットワーク、ワイヤレスローカルエリアネットワーク、アドホック接続、等）にも有用である。そのようなワイヤレスシステムは、例えば、Ｗｉ−ＦｉTM、ＷｉＭＡＸTM、ＢｌｕｅｔｏｏｔｈTM、等を含む。
【００３８】
本発明の規範的な実施形態の以下の説明において、セルラー無線システムは、セルサイト又はベースステーションとして知られている送信側ステーションによって各々サービスされる無線セルのネットワークを備えている。無線ネットワークは、複数のトランシーバ（ほとんどの場合移動）に対してワイヤレス通信サービスを提供する。協力して動作するベースステーションのネットワークは、単独でサービスするベースステーションによって提供される無線カバレージより大きなワイヤレスサービスを許す。個々のベースステーションは、リソース管理のための及びある場合には（インターネットのような）他のネットワークシステム又はＭＡＮへのアクセスのための付加的なコントローラを含む別のネットワーク（多くの場合はワイヤードネットワーク）によって接続される。
【００３９】
ＬＴＥでは、２つの異なるタイプのベースステーション、即ちｅＮｏｄｅＢ（ｅＮＢ）及びホームｅＮｏｄｅＢ（ＨＮＢ）、がある。従来のセルラーネットワークでは、ベースステーションのネットワークが、単一のネットワークオペレータエンティティにより所有され及び／又は制御される。３ＧＰＰは、「ホームノードＢ」（ＨＮＢ）として知られた新規なネットワーク要素を導入した。ホームベースステーション（又は３ＧＰＰの用語ではホームＮｏｄｅＢ（ＨＮＢ）又はホームｅＮｏｄｅＢ（ＨｅＮＢ）は、住居、会社、又は同様の環境（例えば、個人の家庭、公共のレストラン、小さなオフィス、企業、病院、等、従って、「ホーム」という語は、住居用途に限定されない）に使用するのに最適なベースステーションである。ここでは、「ホームベースステーション」、（ＵＭＴＳの場合の）「ホームＮｏｄｅＢ」、（ＬＴＥの場合の）「ホームｅＮｏｄｅＢ」という語は、一般的に、「フェムトセル」を指す。又、ここでは、ベースステーション、「ＮｏｄｅＢ」及び（ＬＴＥの場合の）「ｅＮｏｄｅＢ」という語は、一般的に、「マクロセル」を指す。
【００４０】
長期進化進歩型（ＬＴＥ）アクセス方法
現在のＬＴＥ仕様は、潜在的な送信レートを高めるようにエアインターフェイスを経ての送信を改善するための多数の柔軟なマルチアクセス方法を規定している。ＬＴＥは、ダウンリンクアクセスのために直交周波数分割多重アクセス（ＯＦＤＭＡ）と時分割多重アクセス（ＴＤＭＡ）との組み合わせを指定している。この混成アクセス技術は、以下ＯＦＤＭＡ／ＴＤＭＡとも称されるが、周波数スペクトルにおける規定数のサブキャリアと、データ送信のための規定の送信時間とが加入者に与えられるマルチキャリアマルチアクセス方法である。ＬＴＥは、更に、アップリンクアクセスのためにＳＣ−ＦＤＭＡ（単一キャリア周波数分割多重アクセス）とＴＤＭＡとの組み合わせも指定している。更に、ＬＴＥは、全デュープレックスＦＤＤ（周波数分割デュープレックス）、半デュープレックスＦＤＤ及びＴＤＤ（時分割デュープレックス）をサポートする。最後に、ＬＴＥは、１．４、３、５、１０、１５及び２０ＭＨｚの拡張可能な帯域巾セグメントもサポートする。
【００４１】
簡単に述べると、図１Ａ−１Ｄは、ワイヤレス送信の分野で良く理解されそして本開示を通じて使用される基本的なマルチアクセス方法を概略的に示す。これらの図において、時間は、時間軸（ｔ）の方向に増加し、そして周波数は、周波数軸（Ｆ）の方向に増加することを認識されたい。
【００４２】
図１Ａは、ＴＤＭＡ（時分割多重アクセス）システムを示す第１の時間−周波数図である。ＴＤＭＡでは、各移動無線ターミナルは、移動無線ターミナルにより使用するために設けられた全周波数帯域を使用する。しかしながら、各移動無線装置には、その移動無線装置が有用なデータを送信及び受信する規定の送信時間インターバル（ＴＴＩ）しか割り当てられない。送信時間インターバル１０２の間に、無線セルでは１つの移動無線装置だけがアクティブである。
【００４３】
図１Ｂは、ＦＤＭＡ（周波数分割多重アクセス）システムを示す第２の時間−周波数図である。ＦＤＭＡでは、各移動無線装置は、時間ドメインを自由に使用するが、有用なデータを送信し及び受信するのに、全周波数帯域内の規定の（狭い）周波数帯域１０４しか利用できない。所与の時間に無線セルの各狭い周波数帯域では１つの移動無線装置だけがアクティブである。
【００４４】
図１Ｃは、ＣＤＭＡ（コード分割多重アクセス）システムを示す第３の時間−周波数図である。ＣＤＭＡ（いわゆる「直接シーケンス」又はＤＳシステムの亜種）では、各移動無線ターミナルは、任意の期間中に有用なデータを送信及び受信し、そして利用可能な全周波数帯域を使用する。異なる送信者により送信されるデータ間の干渉を回避するため、各移動無線装置には、バイナリ擬似ノイズコードパターン１０６が割り当てられる。異なる移動無線ターミナルに割り当てられるコードパターンは、理想的には、直交するものであり、そして移動無線ターミナルにより送信されるか又は移動無線ターミナルにより受信されるデータは、移動無線ターミナルに割り当てられたコードパターンによってコード化（拡散）される。
【００４５】
図１Ｄは、ＴＤＭＡと組み合わされるＯＦＤＭＡ（直交周波数分割多重アクセス）システムを示す。ＯＦＤＭＡは、ＦＤＭＡの特殊なケースであり、帯域巾Ｂをもつ全周波数帯域がＭ個の直交サブキャリア１０８に細分化されるマルチキャリア方法である。従って、Ｍ個の（狭い）周波数帯域があり、その各々は、Ｆ＝Ｂ／Ｍの帯域巾をもつ。ＯＦＤＭＡでは、送信されるべきデータストリームは、多数のサブキャリアにわたって分割され、そして（一般的に）並列に送信される。従って、各サブキャリアのデータレートは、全体的なデータレートより低い。各移動無線ターミナルに対して、規定数のサブキャリア１０８がデータ送信のために割り当てられる。例えば、ＣＤＭＡの柔軟なコード割り当てに勝る、ＯＦＤＭＡの柔軟な時間−周波数リソース割り当ての主たる効果は、スペクトル効率が高い（即ち、単位周波数帯域当たりの単位時間当たりのビットが多い）ことである。
【００４６】
ＬＴＥでは、ＯＦＤＭＡ／ＴＤＭＡデータストリームに基づくダウンリンクアクセスが時間的に一定時間インターバル又はフレームに細分化される。各フレームは、更に、スロット及びサブフレームに細分化される。全てのサブフレームを使用する必要がなく（ネットワークは充分に活用されず）、サブフレームは、トランシーバとのデータ送信／受信に使用されるべき最小時間増分である。トランシーバがベースステーションのタイミングを取得すると、スケジュール機能で各トランシーバにサブフレームが割り当てられる。
【００４７】
図２は、上述した従来技術による全デュープレックスＦＤＤ、半デュープレックスＦＤＤ及びＴＤＤを示す。全デュープレックスＦＤＤは、アップリンク送信２２２及びダウンリンク送信２２０に対して２つの別々の周波数帯域を使用し、両送信は、同時に行うことができる。ＦＤＤとは異なり、ＴＤＤは、アップリンク２２２及びダウンリンク２２０の両送信に対して同じ周波数帯域を使用するが、所与の時間フレーム内では、送信の方向がダウンリンク２２０とアップリンク２２２との間で交互に切り換えられる。半デュープレックスＦＤＤは、全デュープレックスＦＤＤと同様に、アップリンク送信２２２及びダウンリンク送信２２０に対して２つの別々の周波数帯域を使用するが、アップリンク及びダウンリンク送信は、時間的に重畳しない（ＴＤＤと同様に）。
【００４８】
ＬＴＥネットワークは、全デュープレックス及び半デュープレックスＦＤＤの両方に使用される標準フレーム構造タイプ１  ３００（図３に示す）を使用する。各無線フレーム３０２は、巾が１０ｍｓであり、そして０から１９まで番号付けされた０．５ｍｓの長さ間隔の２０個のスロット３０４で構成される。サブフレーム３０６は、２つの連続するスロット３０４として定義される。ＦＤＤの場合に、各１０ｍｓの間隔においてダウンリンク送信に１０個のサブフレームが利用されそしてアップリンク送信に１０個のサブフレームが利用される。アップリンク及びダウンリンク送信は、周波数ドメインにおいて分離される。スロットのフォーマットに基づいて、サブフレームは、ダウンリンクでは１４又は１２個のＯＦＤＭＡ記号より成り、そしてアップリンクでは１４又は１２個のＳＣ−ＦＤＭＡ記号より成る。フレーム構造及びタイミングの詳細は、“E-UTRA  Physical channels and modulation”と題する３ＧＰＰ  ＴＳ  ３６．２１１に述べられており、その内容は、参考としてここにそのまま援用される。
【００４９】
図４を参照すれば、従来のＬＴＥネットワークのための２段階ページングチャンネルメッセージ４００が示されている。ＬＴＥネットワークでは、３種類の「コントロールチャンネル」、即ちＰＣＦＩＣＨ、ＰＤＣＣＨ、及びＰＨＩＣＨを送信するために第１のＯＦＤＭＡ記号が使用される。「物理的コントロールフォーマットインジケータチャンネル」（ＰＣＦＩＣＨ）は、物理的ダウンリンクコントロールチャンネル（ＰＤＣＣＨ）のフォーマットを指示する。ＰＤＣＣＨは、とりわけ、リソース指定及びページング指定を搬送する。物理的ＨＡＲＱインジケータチャンネル（ＰＨＩＣＨ）は、物理的アップリンク共有チャンネル（ＰＵＳＣＨ）において移動装置から受信される確認又は否確認（ＡＣＫ／ＮＡＣＫ）データのために使用される。これらコントロールチャンネルの各々は、４つのサブキャリアのグループに分割され、そして全ＬＴＥシステム帯域巾にわたって拡散される。
【００５０】
図示されたように、ＵＥは、規定の時間（即ち、長さ１ｍｓの規定のサブフレーム）に物理的ダウンリンクコントロールチャンネル（ＰＤＣＣＨ）４０２を監視する。ページング識別子がネットワークによりＵＥに指定される。指定のページング識別子がＰＤＣＣＨにおいてデコードされると、ＵＥは、それに関連した物理的ダウンリンク共有チャンネル（ＰＤＳＣＨ）４０４をデコードする。図示されたように、ＰＤＣＣＨは、サブフレーム＃ｉ＋２において送信され、第１スロットの１つ、２つ又は３つのＯＦＤＭＡ記号を占有し、記号の数は、ネットワークによって動的に調整される。ＰＤＳＣＨ４０４は、サブフレーム＃ｉ＋２の残部において送信され、そしてＰＤＣＣＨ、ＰＣＦＩＣＨ又はＰＨＩＣＨにより使用されないサブフレームにおいてＯＦＤＭＡ記号を占有する。
【００５１】
長期進化進歩型（ＬＴＥ−Ａ）に対する改善
既存のＬＴＥアーキテクチャー及びアクセス方法のフレームワーク内で、初期のＬＴＥ−Ａ提案は、スペクトル集合で１００ＭＨｚまでの帯域巾を与えることにより既存のＬＴＥ動作の多様性を拡張し続ける。例えば、ＬＴＥ−Ａセルの帯域巾は、以下「コンポーネントキャリア」（ＣＣ）と称される多数のスペクトルスライスで構成される。しかしながら、ＬＴＥとＬＴＥ−Ａネットワークとの間の後方互換性を維持するために（即ち、ＬＴＥ−Ａ  ｅＮｏｄｅＢは、ＬＴＥユーザ装置もサポートしなければならない）、各ＣＣは、最大限、２０ＭＨｚ（ＬＴＥ限界）に制限される。
【００５２】
図５は、周波数及び時間に関して示された２段階ページングチャンネルメッセージ５００の従来の１つのＬＴＥ−Ａスケジュールのグラフ表示である。ＬＴＥ−Ａでは、ＬＴＥ−Ａのコンポーネントキャリアは、ＬＴＥシステムの全システム帯域巾と同等である。例えば、ＬＴＥ−Ａにおいて、各ＣＣ５０２の帯域巾は、２０ＭＨｚまでの帯域巾に及ぶ。多数のＣＣがＬＴＥ−Ａセルにより同時に与えられて、非常に大きな集合帯域巾をカバーする。ＬＴＥ-Ａ  ＵＥは、多数のＣＣを同時に使用できるが、ＬＴＥ  ＵＥは、一度に１つのＣＣと同等のものしか使用できない。このチャンネル構造は、ＬＴＥ  ＵＥのための完全な後方互換性を保持しつつ、ＬＴＥ-Ａ  ＵＥのための非常に大きな帯域巾の可能性を与える。
【００５３】
ＬＴＥ-Ａについて提案された改善は、進行中の接続をもつＵＥにとっては非常に有益であるが、これらの同じ改善が非接続のＵＥにとって望ましからぬ影響を及ぼす。「アイドル」モードの間に（即ち、ＵＥがネットワークに接続されないときに）、ＵＥは、ページングチャンネルを状態更新、例えば、保留中コール、ショートメッセージングサービス（ＳＭＳ）、データ更新、等について周期的にチェックしなければならない。しかしながら、アイドルモード中にはＵＥと無線アクセスネットワークとの間に確立される進行中のダイヤログはないので、ＵＥ及びｅＮＢは、必ずしもページングチャンネルパラメータに合意しなくてもよい。従って、ＵＥは、考えられる全てのＣＣスライスに対して全てのページングチャンネルをチェックしなければならない。同様に、無線アクセスネットワークの追跡エリアのｅＮＢは、ページングチャンネルメッセージを適当なＣＣにアクティブに放送しなければならない。これらのＣＣは、以下「アクティブなコンポーネントキャリア」（ＣＣ）と称される。ある具現化において、ＣＣは、ページング動作から除外されてもよい（ｅＮＢがＬＴＥ-Ａ  ＵＥにリソースを指定する場合には非アクティブなＣＣだけが使用される）。除外されたＣＣは、ＬＴＥ  ＵＥとの互換性はない。明らかに、スペクトルの大きな広がりを経て簡単なページングメッセージの受信及び送信の両方を行うことは最適ではない。
【００５４】
図６は、従来技術のページングチャンネル送信６００の上述した欠点を更に示す。図示されたように、追跡エリア（ＴＡ）は、３つのｅＮＢ６０２、即ちｅＮＢ１、ｅＮＢ２、及びｅＮＢ３より成る。３つのｅＮＢは、移動管理エンティティ（ＭＭＥ）６０４へのバックホール接続を有し、ＭＭＥは、（ＵＥ１  ６０６を含む）ＴＡ内の現在知られている全てのＵＥのリストを維持する。データ送信を開始するために、ＭＭＥは、バックホールを経てＴＡの各ｅＮＢにネットワークページ６１０を送信する。それに応答して、各ｅＮＢは、アクティブなＣＣを経てＵＥへページング通知を送信する（エアインターフェイスページングチャンネルメッセージ６１２）。
【００５５】
少し脇へそれるが、「ページングメッセージ」「ページング通知」「ページングチャンネルメッセージ」等の語は、一般的に、これまで交換可能に使用されてきた。従来の用語は、ページングメッセージの種々の形を区別するものではない（コアネットワーク内の発生からユーザ装置での受信まで）。しかしながら、以下の説明では、上述した解釈は、正確なものではなく、潜在的に混同を招く。従って、以下に使用される「ページング要求」及び「ネットワークページ」という語は、中央ネットワークエンティティ（例えば、ＭＭＥ）と仲介サービス装置（例えば、ｅＮＢ）との間のページ関連メッセージを指す。対照的に、「ページングメッセージ」「ページング通知」「ページングチャンネル」「ページング送信」という語は、仲介サービス装置からエアインターフェイスを経て移動装置へ送られるページ関連メッセージを指す。「ページングメカニズム」「ページング」及び「ページド」という語は、全体的なページングプロセスを指し、ネットワーク又はエアインターフェイスへの限定を意味するものではない。
【００５６】
図６に戻ると、従来のページング送信システム６００では、ＵＥ１  ６０６は、ｅＮＢ１  ６０２からページングチャンネルメッセージ６１２を受信する。他のｅＮＢ（ｅＮＢ２、ｅＮＢ３）により送信されたページングチャンネルメッセージは、無駄となり、貴重な無線リソースを消費する。ｅＮＢ１のカバレージ内でも、ＵＥは、ｅＮＢ１の各ＣＣを経てページングメッセージを受信する。ＵＥは、単一のページングチャンネルメッセージを受け取るだけでよく、従って、複製のページングチャンネルメッセージは、余計なものとなる。
【００５７】
動作例
以下の説明は、ユーザコンテクスト情報に基づいてページングメカニズムを最適化するための本発明の種々の有用な態様を示す。
【００５８】
図７は、本発明によるページングシステム７００の１つの規範的な実施形態を示す。図示されたように、追跡エリア（ＴＡ）は、３つのｅＮＢ  １２００：ｅＮＢ４、ｅＮＢ５及びｅＮＢ６より成る。３つのｅＮＢは、移動管理エンティティ（ＭＭＥ）６０４へのバックホール接続を有し、ＭＭＥは、（本発明でイネーブルされる(the invention-enabled)ＵＥ２  １５００を含む）ＴＡ内の現在知られている全てのＵＥのリストを維持する。
【００５９】
近傍の適当なｅＮＢ４  １２００が最初に検出されると、或いはその後のコンテクスト情報の変更の間に、ＵＥ２  １５００は、第１の更新メッセージをｅＮＢ４へ送信し、この更新メッセージは、ページング合意を生成するのに有用なコンテクスト情報（例えば、種々のサポートされるオプション、タイマーオプション、等）を含む。更新メッセージに応答して、ｅＮＢ４は、確認メッセージ（例えば、１つ以上のオプション、タイマー設定、等の選択）を送信する。確認メッセージを受信すると、２つの当事者は、特にネットワークの支援なしにページング合意を完成させる（上位のコアネットワークの関与を必要とせずにＵＥ２とｅＮＢ４との間のみで全トランザクションが行われる）。ページング合意は、ｅＮＢ４及びＵＥ２がページングチャンネルメッセージに対して使用するアクティブなＣＣを識別する。
【００６０】
ページング合意の有効性を保証するために、ＵＥ２及びｅＮＢ４は、１つの変形例では「心臓鼓動」又は「サービスパルス」メッセージを使用してページング合意を周期的にリフレッシュする。「ウオッチドッグ」タイマーは、心臓鼓動が欠落した場合に修正アクションをトリガーし、欠落した心臓鼓動は、瞬間的な無線リンク干渉を指示するか、或いはページング合意の終了を指示する。このシナリオでは、ＵＥ（ＵＥ２）がタイマーをリフレッシュしない場合、ｅＮＢ４は、ＵＥ２がＴＡ内の別のｅＮＢ（ｅＮＢ５、ｅＮＢ６）へ移動したと仮定し、ＵＥ２のレコードを削除する。
【００６１】
以下に詳細に説明するように、コンテクスト情報は、任意に変更できる。コンテクスト情報の変更は、ページング合意に影響しても、しなくてもよい。コンテクスト変更の通知は、ここに述べる更新又は確認メッセージを経てシグナリングされる。ｅＮＢ４は、各ＵＥ２のためのコンテクスト情報を記憶し、そして必要に応じて、ページング合意を変更する。そのような変更は、ｅＮＢ４によりトリガーされるか（例えば、ＣＣがアイドルモードにおいてＵＥによりもはや使用されない場合、等）、又はＵＥ２によりトリガーされる（例えば、より適当なものであるＣＣをそれが検出した場合、等）。
【００６２】
ページの間に、ＭＭＥ６０４は、バックホールを経てＴＡの本発明の各ｅＮＢへネットワークページ６１０を送信する。図６の従来のスキーム６００とは対照的に、本発明でイネーブルされる各ｅＮＢ  １２００は、それらのカバレージエリア（一般的に追跡エリアのサブセット）内にあるＵＥ１５００に関するコンテクスト情報及びページング合意をローカルに保持する。その結果、ネットワークページを受信すると、各ｅＮＢは、現在コンテクスト情報についてその内部データベースを調べる。ページングされるＵＥが、記録されたＵＥのいずれにも一致しない場合には、ネットワークページ６１０が無視される。ｅＮＢが首尾よく一致する場合には、ｅＮＢは、ページングチャンネルメッセージ７０２を送信する。従って、ｅＮＢ４だけが、適切なＣＣを経て、本発明でイネーブルされるＵＥ２  １５００へページングチャンネルメッセージ７０２を送信し、他の全てのｅＮＢ無線リソースは、他のタスクのために空いており、全体的なネットワーク効率を改善することができる。
【００６３】
更に、前記実施形態は、好都合にも、既存のＬＴＥ及び／又はＬＴＥ-Ａネットワークとの完全な後方互換性解決策である。例えば、既存のＭＭＥ６０４及びそれに関連したメッセージングインターフェイスは、不変のままとすることができる。又、本発明でイネーブルされるｅＮＢ  １２００は、レガシーｅＮＢ  ６０２と共に自由に散在させることができる。というのは、ここに述べるページングスキームは、ベースステーション間の協働を要求しない（それにもかかわらず、必要に応じてそれを利用できる）からである。同様に、本発明により構成されたｅＮＢ１２００及びＵＥ１５００は、（一実施形態においてコンテクスト情報レコードに含まれた）改訂情報を使用することによりそれらのレガシー対応物と自由に混在してもよい。
【００６４】
方法
図８及び１０は、本発明の規範的実施形態によりコンテクスト情報に基づくワイヤレスページングの２つの個別の態様を示す論理フローチャートである。図８は、一般的に、ワイヤレスネットワーク内で動作するワイヤレス装置のコンテクスト情報及び／又はページング合意を更新するためのプロセスを示す。図１０は、ページング合意を利用するページングメカニズムを広く特徴付けるものである。
【００６５】
ページング合意の確立及び維持
図８は、セルラー無線システムの複数の当事者間のページング合意を維持する一般的な方法を示す。より詳細には、図８の方法８００に示すように、ステップ８０２において、関与する当事者が最初に識別される。１つの規範的な実施形態では、第１の移動装置が、１つ以上の第２のベースステーション装置を識別する。そのような識別は、パイロットチャンネル、放送チャンネル、等の公共放送信号に基づく。例えば、ＬＴＥ無線アクセスネットワークは、システム情報ブロック（ＳＩＢ）又はマスター情報ブロック（ＭＩＢ）においてシステム情報を公共放送する。イネーブルされたＵＥ１５００は、近傍のｅＮＢ（１２００、６０２）のＳＩＢをデコードする。ｅＮＢが（本発明による）改善されたページングチャンネル動作をサポートする場合には、ＵＥは、ステップ８０４に進む。さもなければ、ＵＥは、レガシーアイドルモード手順を再開する。同様の方法をｅＮＢに対して適用することができ、例えば、ＵＥから改善メッセージ（例えば、「追跡エリア更新」）を受信するｅＮＢは、改善ページング手順に対してそれ自身を構成することができる。ｅＮＢは、ＵＥからレガシーメッセージを受信した場合に、レガシーページング手順に復帰する。
【００６６】
更に、ある混雑したネットワークでは、移動装置は、多数の候補ベースステーションを検出する。多分、候補ベースステーションは、他のページングチャンネル動作の、レガシーから、改善型、そしておそらく将来の形までの種々の等級に及ぶ多様な能力を有する。従って、ある具現化では、移動装置は、コンテクスト情報交換及びページング合意のために候補ベースステーションの１つ以上を選択することができる（ステップ８０４）。
【００６７】
他の実施形態では、１つ以上の第２のベースステーション装置が第１の移動装置を識別する。そのような識別は、１つ以上の装置属性をチェックすることにより遂行される。例えば、ベースステーションのカバレージ内の移動装置は、改善ページングチャンネル能力について問合せされる。同様に、他の変形例では、ベースステーションは、他の方法、例えば、帯域外シグナリング、ネットワーク管理エンティティとの通信、等を経て改善移動装置動作を発見する。
【００６８】
ネットワークリソースの最も効率的な使用は、ページングメッセージを移動装置へ頑健に送信するように最低数の無線リソース（例えば、ＣＣ）に指令する。従って、一実施形態では、識別された当事者は、ページング送信のために多数の無線リソースに合意する。例えば、非常に明瞭な受信の場合には、おそらく、単一のＣＣに単一のｅＮＢがページングメッセージを送信するだけで充分である。対照的に、（例えば、高フェージング環境、非常に高いユーザ密度、等のために）混乱した受信の場合には、複数のベースステーションが１つ以上のＣＣを使用してページング通知を送信することが要求される。
【００６９】
ステップ８０４において、識別された当事者がコンテクスト情報及び／又はページング合意を交換する。ＬＴＥネットワークにおいて、コンテクスト情報の信頼性ある交換が、確立された接続を経て行われる。ＬＴＥネットワークは、いずれのＵＥについても一度に１つの無線リソース接続（ＲＲＣ）しかサポートしない。ほとんどのセルラーシステムでは、接続を確立するのに、認証、許可、登録、等を含む著しい量のコントロールレイヤシグナリングが要求される。これらネットワークトランザクションの各々は、移動装置がコンテクスト情報を交換するところのベースステーションごとに繰り返される。従って、本発明の別の実施形態では、装置は、接続確立せずに、コンテクスト情報を含む簡単な更新メッセージを追跡エリア（ＴＡ）の各メンバーに送信する。このような実施形態は、コントロールレイヤシグナリングに必要な要求を緩和する。
【００７０】
ある無線アクセス技術では、ネットワーク接続が非常に簡単である。従って、ある実施形態では、ネットワーク接続を使用してコンテクスト情報を交換するのが好ましい。例えば、アドホックネットワークは、一般的に、複雑な登録手順を必要とせずに、ＩＰベースネットワーク（インターネットプロトコル）への無線接続を与える。同様に、将来のホームネットワークアプリケーションは、共存する多数のワイヤレスプロトコルに勝るＩＰベースサービス（インターネットプロトコル）であり、従って、同じＩＰユーザアイデンティティ（例えば、Ｂｌｕｅｔｏｏｔｈ、ＷｉＦｉ、等）が無線プラットホームにわたって共有される共通のアイデンティティをもつことはない。このような異種環境では、上位のＩＰベースユーザアイデンティティを下位の無線レイヤ属性にリンクするための接続を確立しなければならない。
【００７１】
コンテクスト情報は、ＵＥのアイデンティティ、無線リソース（例えば、コンポーネントキャリア（ＣＣ）、周波数帯域、タイムスロット、等）、ページングチャンネル能力、最後に接続されたｅＮＢ（ＴＡ内の）、近傍のｅＮＢのリスト、ＴＡのｅＮＢのリスト、地理的データ、受信信号クオリティ指示子、近傍セルの識別、等を含むが、これに限定されない。ある最小ケースでは、コンテクスト情報は、ＵＥのアイデンティティ及びアクティなＣＣより成る。
【００７２】
規範的な実施形態において、移動装置は、そのコンテクスト情報をベースステーションに与えるが、他の無線ネットワーク技術は、両方向コンテクスト情報交換を行うことができる。又、他の形式のコンテクスト情報に置き換えてもよく、前記説明は、例示に過ぎないことが明らかであろう。置き換えられるコンテクスト情報のタイプ及び仕方は、本開示の内容が与えられれば、当業者によって容易に決定される。
【００７３】
一実施形態において、コンテクスト情報は、内部データベースを使用してベースステーション内に記憶される。移動装置に対して相補的なデータベースが使用される。別の実施形態では、コンテクスト情報は、近傍のベースステーション、中央ネットワーク管理エンティティ、等を含む他のネットワークエンティティへ転送されるか又はメッセージングされる。コンテクスト情報は、一般的に、スタティックであるが、あるシナリオでは、種々のコンテクスト情報が動的に変化し、更新を必要とする（例えば、周期的に、又は特定事象の発生に応答して）。コンテクスト情報は、ページング合意を決定し及び／又は更新するために各装置によって使用され監視される。例えば、ベースステーションは、複数のＵＥのコンテクスト情報を追跡し、その無線リソース利用を常時最適化する。そのような変形例では、ｅＮＢがＣＣ間のＵＥのコンテクストバランスを追跡することができる。又、移動装置は、複数のｅＮＢに対してコンテクスト情報を追跡し、そして他のベースステーションとの合意に選択的に入ることができる。
【００７４】
１つの具現化において、コンテクスト情報について全当事者が合意であることを保証するために確認情報が応答として送信される。例えば、ベースステーションは、移動装置からコンテクスト情報を受信すると、コンテクスト情報の受信を指示し且つページング合意を完了する確認メッセージを送信する。ある変形例では、確認は、メッセージコンテンツの受け容れを指示し、或いは又、１つ以上のコンテクストオプションの選択を指示する。
【００７５】
ステップ８０４は、ページング通知メカニズムの関係当事者がページング合意について最初に合意した（暗黙に又は明確に）ときに終了となる。
【００７６】
ステップ８０６において、関係当事者は、期間について継続合意を保証するためにページング合意をリフレッシュする。１つの規範的な実施形態では、周期的なリフレッシュメッセージを使用してページング合意がリフレッシュされる。予想される期間内にリフレッシュメッセージが受信される場合には、ページング合意が延長される。しかしながら、予想される期間内にリフレッシュメッセージが受信されない場合には、ページング合意が無効であると考えられる。１つのそのような変形例では、ページング合意がその後に中断され、プロセスは、自動的に、ステップ８０８へ続き、関連レコードを削除する。別のそのような変形例では、ページング合意が回復され、プロセスは、ステップ８０６を繰り返す。又、ページング合意は、肯定的に中断されてもよい（例えば、必要に応じて理由又はコードを含む明確なメッセージで）。
【００７７】
上述したように、本発明の一実施形態では、ページング合意が周期的に又は既知の間隔又はタイムスロットでリフレッシュされた。例えば、前記シナリオでは、第２のベースステーションは、第１のリフレッシュ周期Ｎを有する簡単な「ウオッチドッグ」カウントダウンタイマーをセットする。第１の移動装置は、ウオッチドッグタイマーが時間切れする前にリフレッシュメッセージを送信する。第１の移動装置は、第２の周期Ｏを有する周期的「心臓鼓動」タイマーを有する。或いは又、移動装置は、非周期的リフレッシュスキームを使用してもよい（非周期的メッセージがＮ周期制約を満足するならば）。
【００７８】
種々のシステムは、リフレッシュ周期Ｎを更に動的に更新してもよい。例えば、動的に変化する無線環境において、周期Ｎは、高ノイズ環境では短くされ、一方、低ノイズ又は安定環境では、周期Ｎが長くされる。接続を維持しないシステムでは、変化パラメータ（Ｎ周期のような）が他の放送コントロールチャンネル（例えば、システム情報ブロック（ＳＩＢ）、マスター情報ブロック（ＭＩＢ）、等に埋め込まれた）を経て放送される。
【００７９】
一般的に、リフレッシュ周期Ｎを短縮したり延長したりすると、第２の周期Ｏにも影響が及ぶ。影響の仕方は、直接関係することもあるし、しないこともある。例えば、移動装置は、値ＯをＮより短く選択するが、電力消費に対して最適であるようにする（例えば、送信されるリフレッシュメッセージの数を最小にする）。対照的に、移動装置は、ベースステーションのタイマー周期Ｎが満了になる前に複数のリフレッシュの試みを与えるように頑健さのために値Ｏを選択してもよい。
【００８０】
他の実施形態では、移動装置は、事象でトリガーされるように、不規則に又は非周期的にリフレッシュメッセージを送信することもできる。例えば、１つの規範的なシステムでは、移動装置は、ベースステーションによりトリガーされるか又は問合せされたときだけリフレッシュメッセージを送信する。ベースステーションは、リフレッシュ要求メッセージを周期的に放送し、それに応答して、範囲内の各ベースステーションがリフレッシュメッセージを送信する。或いは又、ベースステーション及び移動ステーションがアクティブな無線リンク接続を保持するページング通知システムでは、ベースステーションがリフレッシュ要求メッセージを送信し、そして移動ステーションがリフレッシュメッセージを送信する。
【００８１】
他の変形例では、リフレッシュメッセージは、環境チャンネル状態、移動装置のポピュレーション、等の他のファクタに基づいてトリガーされる。例えば、移動装置は、放送チャンネル（パイロットチャンネルのような）を受動的に監視する。パイロットチャンネルの受信が変動するときには、リフレッシュメッセージが再送される。別の例では、ベースステーションは、移動装置による接近の数を考慮する。移動装置の数が増加又は減少するときには、ベースステーションが近傍の移動装置からのリフレッシュを要求し、受信しなかった装置を取り除く。
【００８２】
更に別の変形例では、ページングチャンネルメッセージが欠落しない限り、ページング合意が有効であると仮定される。従って、移動装置及びベースステーションは、ページング合意に合意し、これは、そうでないことが判明されるまで有効と仮定される。移動装置がページングチャンネルメッセージに応答しない場合には、ベースステーションがページング合意を無効にする。
【００８３】
上述したように、予想される期間内にリフレッシュメッセージが受信されない場合には、ページング合意が無効となる。しかしながら、ある実施形態では、任意のステップ８０７においてリバイバル手順が実行される。システムがリバイバルをサポートしない場合には、プロセスは、直ちにステップ８０８へスキップする。更に、一般的に、送信側当事者（例えば、ベースステーション）にとって（欠落ページ、等のために）ページング合意が無効であると決定することは容易であるが、これは、受信側当事者（例えば、移動装置）を、ページング合意が無効であるとの決定から除外するものではない。例えば、移動装置は、近傍のパイロットチャンネルを監視することができる。移動装置は、それがパイロットチャンネルの受信を見失うと、安全のため、ページングチャンネルも失われたと仮定する（パイロットチャンネルは、典型的に最も受信が容易なチャンネルである）。移動装置は、パイロットチャンネルを再取得しなければならない場合に、ステップ８０７へ進み、先を見越してページング合意を回復させる。
【００８４】
ステップ８０７において、以前に失われた又は無効のページング合意を回復させるための試みが任意に行われる。一実施形態では、ベースステーションは、複数のページメッセージング再試みを行う。ウオッチドッグタイマーが時間切れすると、ベースステーションは、第２のページングチャンネルメッセージを送信し、そして再スタートタイマーＰを再スタートさせる。Ｐタイマーが時間切れすると、別の再試みが行われる。ページングチャンネルの再試みが任意の回数行われるが、最大再試み数で過剰なネットワーク混雑を防止する。
【００８５】
別の実施形態において、ベースステーションのコミュニティがレガシーページングモードへスイッチする。例えば、第１のベースステーションが移動装置をページングできない場合には、ベースステーションは、追跡エリアの他のベースステーションにフラグを立てる。その後、全追跡エリアがレガシーページング動作を再開する。
【００８６】
移動装置で開始される実施形態では、移動装置は、既に知られているベースステーションと再契約するときにリフレッシュ又は更新メッセージを送信する。ベースステーションは、順序誤り(out-of-sequence)メッセージを受信した場合に、ページング合意動作を再開する。
【００８７】
回復が成功すると、関与者は、ステップ８０６へ戻る。回復の試みが成功でないと、最終的に、ステップ８０８へ進む。回復のための更に別の方法及びスキームは、本開示の内容が与えられると、当業者に直ちに明らかであろう。
【００８８】
ステップ８０８において、ページング合意が中断される。一実施形態では、ページング合意の１つ以上の当事者がページング合意を削除する。例えば、ベースステーションは、移動装置からページング合意を削除する。その後、移動装置は、ベースステーションとのページング合意を再開しなければならない。他の実施形態では、考えられる回復のためにコンテクスト情報が予約される。例えば、ベースステーションが既に無効となったコンテクスト情報を検索できる場合には、たとえ現在ページング合意が存在しなくても、移動装置はベースステーションとの接続を回復することができる。
【００８９】
セルラー無線システム内の複数の当事者間のページング合意を更に示す１つの規範的なページング合意トランザクション９００が図９に示されている。図示されたように、規範的なシステムは、第１のＵＥ  Ａ１５００、第１のｅＮＢ１  １２００及び第２のｅＮＢ２  １２００を備えている。第１のＵＥ  Ａは、第１の時間９０２に、近傍のセルラーベースステーション（例えば、パイロット署名、等に基づく）を識別する。図示された例では、ＵＥ  Ａは、コンテクスト情報及びページング合意を交換するために第１のｅＮＢ１を優先的に選択する。
【００９０】
ＵＥ  Ａ１５００は、コンテクスト情報を含む第１の更新メッセージを第１のｅＮＢ１１２００へ送信する（９０４）。ｅＮＢ１は、コンテクスト情報を記憶し、ページング合意を発生し、そして（周期Ｔ２を有する）ウオッチドッグタイマーをスタートさせる。又、第１のｅＮＢ１は、第１のＵＥ  Ａに確認を送信して、ページング合意を公式化する。周期的に（Ｔ１ごとに、但し、Ｔ１は、ベースステーションのウオッチドッグタイマーより短い）、ＵＥ  Ａは、リフレッシュメッセージを送信する（９０６）。
【００９１】
その後の時間９０８に、第１のＵＥ  Ａは、第２のベースステーションｅＮＢ２を検出する（又は第２のベースステーションが第１のベースステーションより望ましいものであることを決定する）。ＵＥ  Ａは、第２のｅＮＢ２とのページング合意を開始する（１２００）。その少し後で、ＵＥ  Ａは、ページング合意のリフレッシュを停止する。ウオッチドッグタイマーが時間切れすると、第１のベースステーションｅＮＢ１は、コンテクスト情報及びページング合意を終了する。
【００９２】
コンテクスト情報ベースのページング
図１０は、装置コンテクスト情報を利用するページングチャンネル動作方法を特に特徴付ける本発明の一実施形態を示す。以下の説明において、１つ以上の第２のベースステーション装置は、ネットワークエンティティ（移動管理エンティティ（ＭＭＥ）６０４のような）からネットワークページを受信する。それに応答して、ベースステーションの各々は、ページングチャンネルメッセージを移動装置へ送信すべきかどうか個々に決定する。ある具現化において、移動装置は、複数のベースステーションからページングチャンネルメッセージを受信する。第１の独特のページングメッセージは、応答されるが、その後に繰り返されるページングメッセージは無視される。別の実施形態では、移動装置は、受信したページングメッセージの１つに選択的に優先的に応答する（例えば、信号クオリティを改善し、装置の事柄をマッチングさせ、サービスの事柄を最適化し、等のために）。
【００９３】
ネットワークページ及びネットワークエンティティは、ここに開示するベースステーションとの動作のために変更されるのも任意である。一実施形態では、ベースステーションは、外部ネットワークエンティティに更に相談することなく適当な応答を決定する。対照的に、ベースステーションは、ネットワークの動作を更に改善するために補足的なインターフェイス又は変更されたインターフェイスを有することが明らかである。
【００９４】
更に、以下のプロセスは、セルラーネットワークに関して説明するが、このプロセスは、他のワイヤレスプロトコル及びシステムにも等しく適用できることが明らかである。実際に、異種のネットワーク構造は、複数の無線アクセス技術に応答する独特のアイデンティティをサポートするように構成されることが考えられる。以下のプロセスは、アクセスポイントの混合体の各々がページングメッセージを装置へ独自に適切に送信できるようにする。
【００９５】
図１０の方法１０００のステップ１００２において、１つ以上のページ送信装置が中央ネットワーク当局からネットワークページを受信する。１つの規範的実施形態では、指定の追跡エリアの各ｅＮＢ１２００は、ＭＭＥ６０４からネットワークページを受信する。或いは又、ネットワークページは、ピアエンティティから転送される（例えば、リルートメカニズムと同様に）。例えば、追跡エリアの第１ベースステーションは、（最近のコンテクスト情報をほとんど持たない）他のベースステーションが二次的なページング送信再試みを行えるようにする。
【００９６】
ステップ１００４において、ページ送信装置は、コンテクスト情報の内部データベースを参照してネットワークページを考慮する。コンテクスト情報の内部データベースは、それに対応するコンテクスト情報（もし得られれば）及びページング合意（もし有効であれば）を、装置特有の識別子が与えられたときに、返送する。その結果、ネットワークページが、有効なページング合意を有する装置特有の識別子をアドレスする場合に、ベースステーションは、コンテクスト情報に基づいてページングチャンネルメッセージを発生する（ステップ１００６）。ネットワークページが現在のページング合意を返送しない場合には、ページ送信装置がネットワークページを無視する（ステップ１００８）。
【００９７】
ステップ１００６において、ページ送信装置は、ページングチャンネルメッセージを送信する。一実施形態では、ページングチャンネルメッセージに対する成功応答（即ち、ページ受信装置の返答）は、ページング合意をリフレッシュする。成功応答は、ウオッチドッグタイマーを再スタートさせる。他の実施形態では、ページングチャンネルメッセージに対する成功応答は、ページング合意をリフレッシュするものとは異なる。不成功のページ送信も、レガシーページング動作への復帰のための前提条件又はトリガーとして使用されるか、或いは又ページング合意の回復をトリガーする。
【００９８】
ステップ１００６とは対照的に、ステップ１００８の間に、ページ送信装置は、ネットワークページを無視する。一実施形態では、ネットワークページは、故障の際に後で送信するために待ち行列に入れられる。例えば、一次ベースステーションによる初期の試みが失敗した場合には、他の二次ベースステーションが、同じページングメッセージを送信して、一次ベースステーションを増強させる。別の例では、本発明のページングメカニズムは、そのページングメカニズムが失敗した場合に、レガシー動作に復帰する（ＴＡの全てのベースステーション）。
【００９９】
本発明による１つの規範的なページングチャンネルトランザクション１１００が、セルラー無線システムの複数のベースステーションを使用する移動装置のページングチャンネルトランザクションを示す図１１に示されている。図示されたように、規範的なシステムは、第１のＵＥ  Ａ１５００、第１のｅＮＢ１  １２００Ａ、第２のｅＮＢ２  １２００Ｂ、第３のｅＮＢ３  １２００Ｃ、及び中央ネットワーク当局ＭＭＥを備えている。第１、第２及び第３のベースステーションは、追跡エリアとしてアドレスされる。最初に、ＵＥ  Ａは、第１のｅＮＢ１とのページング合意をネゴシエーションする（例えば、図９の手順９００を参照）。
【０１００】
ＭＭＥ６０４は、第１のＵＥ  Ａにアドレスされたデータを受信する。ＭＭＥ６０４は、ＵＥ  Ａ１５００のためのネットワークページを発生し、そしてそのネットワークページ６１０を現在追跡領域（ｅＮＢ１、ｅＮＢ２、ｅＮＢ３）へ送信し、追跡領域の各ベースステーションは、ページング要求を受信する。それに応答して、各ベースステーションは、有効なページング合意をチェックし、そしてそれに対応するコンテクスト情報を使用して、ページングチャンネルメッセージ６１２を発生する。図１１に示すように、第１のｅＮＢ１  １２００Ａだけがページングチャンネルメッセージ６１２を送信する。メッセージの交換中に、ＵＥ  Ａ及びｅＮＢ１は、アクティブなダイヤログを有し、従って、この例では、ウオッチドッグタイマーを保留にすることができる（即ち、ページング合意は有効のままである）。接続が解除されると、ページング合意のウオッチドッグタイマーが再開される。
【０１０１】
規範的なベースステーション装置
図１２を参照して、上述した機能を具現化するのに有用な規範的なベースステーション装置１２００について説明する。図示された実施形態のベースステーション装置１２００は、一般的に、セルラーネットワークに使用するためのスタンドアローン装置のフォームファクタをとるが、他のフォームファクタ（例えば、フェムトセル、ピコセル、アクセスポイント、他のホスト装置内のコンポーネント、等）も考えられる。図１２の装置は、１つ以上の基板１２０２を備え、この基板は、更に、デジタル信号プロセッサ（ＤＳＰ）、マイクロプロセッサ、ＰＬＤ又はゲートアレイ、或いは複数の処理コンポーネントのような処理サブシステム１２０４、ＲＦトランシーバ、並びにベースステーション１２００に電力を供給する電源管理サブシステム１２０６を含む複数の集積回路を備えている。
【０１０２】
処理サブシステム１２０４は、一実施形態では、内部キャッシュメモリ又は複数のプロセッサ（又はマルチコアプロセッサ）を含む。処理サブシステム１２０４は、ハードディスクドライブ（ＨＤＤ）のような不揮発性メモリ１２０８、並びにＳＲＡＭ、フラッシュ、ＳＤＲＡＭ、等を含むメモリサブシステムに接続されるのが好ましい。メモリサブシステムは、高速データアクセスを容易にするために１つ以上のＤＭＡタイプのハードウェアで実施されるものである。
【０１０３】
規範的な装置１２００は、ある実施形態では、ある形式の広帯域アクセスを実施する。ここに示す実施形態では、広帯域アクセスは、ＤＳＬ接続により（即ち、ＤＳＬサブシステム１２１０を経て）行われるが、ここに示すＤＳＬサブシステム１２１０に代わって、又はそれと組み合わせて、有線であるか無線であるかに関わらず他のインターフェイスを使用することもできる。ＤＳＬ処理のデジタル部分は、プロセッサ１２０４において遂行されてもよいし、或いは個別のＤＳＬプロセッサ（図示せず）において遂行されてもよい。更に、ＤＳＬ広帯域接続が示されているが、当業者であれば、ＤＯＣＳＩＳケーブルモデム、Ｔ１ライン、ＷｉＭＡＸ（即ち、ＩＥＥＥ規格８０２．１６）、ＩＳＤＮ、ＦｉＯＳ、マイクロ波リンク、衛星リンク、等の他の広帯域アクセススキームを、上述したＤＳＬインターフェイスに容易に置き換えでき、又はそれとタンデムに使用できることが認識されよう。ＤＳＬは、コストが低く且つ一般的に遍在し、そして全人口にわたって現在広く分布されている銅をベースとする電話インフラストラクチャーを経て搬送されるという効果を有する。
【０１０４】
１つの規範的実施形態では、ベースステーションは、コアネットワークのレガシーＭＭＥ装置６０４とシームレスに動作しなければならない。１つのそのような実施形態では、ベースステーション及びＭＭＥは、広帯域タイプのインターフェイス１２１０を経て接続される。
【０１０５】
又、ベースステーション装置１２００は、１つ以上のＲＦモデムサブシステムも備えている。このモデムサブシステム１２１２は、ベースステーションが１つ以上の加入者装置にサービスを提供できるようにする。本発明のある具現化では、複数のサブシステムが要求されることが容易に明らかであろう。例えば、ベースステーションは、とりわけ、複数の異なるエアインターフェイスを経てマルチモードオペレーション（例えば、ＧＳＭ（登録商標）、ＧＰＲＳ、ＵＭＴＳ及びＬＴＥ）行うための複数のＲＦモデムサブシステムを提供する。モデムサブシステム１２１２は、デジタルモデム、ＲＦフロントエンド、及び１つ以上のアンテナを備えている。
【０１０６】
更に、ある実施形態では、ここに図示されている幾つかのコンポーネント（ＲＦフロントエンドのような）を除去するか、或いは図示された個別のコンポーネントを互いに合体して単一のコンポーネントを形成することが望ましいことに注意されたい。
【０１０７】
上述したように、本発明の規範的な具現化は、ページングチャンネル動作を最適化するためにページング合意及びコンテクスト情報を使用する。１つのそのような具現化において、１つ以上のコンテクスト情報詳細を含むページング合意は、独特の又は半独特のユーザアイデンティティを参照する。例えば、ベースステーションは、ワイヤレスインターフェイスを経て更新メッセージを受信する。図１３は、１つの規範的な更新メッセージ１３００を示すもので、これは、（ｉ）移動装置アイデンティティ１３０２、（ii）ハードウェアバージョン１３０４、（iii）１つ以上の示唆されたコンポーネントキャリア１３０６、等を含む。
【０１０８】
ベースステーションは、コンテクスト情報からのパラメータのセットを選択することによりページング合意を発生する。他の変形例では、ベースステーションは、デフォールトパラメータを受け容れ又は無効化する。
【０１０９】
図１４は、１つの規範的な確認メッセージを示し、これは、（ii）ページング合意バージョン１４０２、（iii）リフレッシュタイマー周期１４０４、（iv）１つ以上のコンポーネントキャリア１４０６、（ｖ）意図された移動装置ＩＤ  １４０８、等を含む。図１４Ａは、ｅＮＢに記憶される１つの規範的なページング合意エントリー１４５０を示す。ページング合意エントリーは、（ｉ）ＵＥ  ＩＤ１４５２、（ii）セルＩＤ１４５４（多数のセルがｅＮＢによって動作される場合）、（iii）選択されたＣＣ１４５６、（iv）ウオッチドッグタイマー周期１４５８、及び（ｖ）任意のリフレッシュ期間１４６０を含む。
【０１１０】
ある簡単な変形例では、確認メッセージは、コンテクスト情報の受け容れ又は拒絶である。ベースステーション装置は、移動装置アイデンティティにより参照される内部データベース内のページング合意及びその関連コンテクスト情報を記憶する。データベースのエントリーは、（リフレッシュ期間にセットされた）ウオッチドッグタイマーに基づき使用のために有効である。ウオッチドッグタイマーの動作は、関連移動装置からの「心臓鼓動」メッセージに応答してセット及びリセットされる。ある構成では、ウオッチドッグタイマーが時間切れした場合に、エントリーが削除される。別の構成では、タイマーが時間切れすると、回復の試みがトリガーされる。
【０１１１】
図１２のベースステーション装置１２００は、更に、内部データベースの有効性及びコンテンツに基づいて移動装置の条件付きページング送信を行う装置も備えている。（ネットワークインターフェイス１２１０に結合された）ＭＭＥ６０４からネットワークページを受信するのに応答して、ベースステーション装置は、同じ独特の又は半独特の移動装置識別子を有する現在有効なレコードについて内部データベースを参照する。適当なレコードが存在する場合には、ベースステーション装置は、適当なコンテクスト情報（例えば、指定のコンポーネントキャリア、等）に基づいてページングチャンネルメッセージを発生して送信する。
【０１１２】
内部データベースの動作、タイマーの具現化、コンテクスト情報、及び条件付きページング送信の他の変形例は、本開示が与えられれば、当業者により容易に具現化される。
【０１１３】
規範的な移動装置
図１５を参照すれば、本発明の方法を具現化する規範的なクライアント又はＵＥ装置１５００が示されている。ここで使用する「クライアント」及び「ＵＥ」という語は、セルラー電話、スマートホン（例えば、本譲受人により製造されるｉＰｈｏｎｅTM装置）、パーソナルコンピュータ（ＰＣ）、例えば、ｉＭａｃTM、Ｍａｃ  ＰｒｏTM、Ｍａｃ  ＭｉｎｉTM又はＭａｃＢｏｏｋTM、及びデスクトップ、ラップトップ、等に関わらずミニコンピュータ、並びに移動装置、例えば、ハンドヘルドコンピュータ、ＰＤＡ、パーソナルメディア装置（ＰＭＤ）、例えば、ｉＰｏｄTM、或いはそれらの組み合わせを含むが、これに限定されない。ページングチャンネル受信の構成は、ソフトウェアで遂行されるのが好ましいが、ファームウェア及び／又はハードウェア実施形態も考えられる。
【０１１４】
ＵＥ装置１５００は、１つ以上の基板１５０４にマウントされたデジタル信号プロセッサ、マイクロプロセッサ、フィールドプログラマブルゲートアレイ、又は複数の処理コンポーネントのようなプロセッササブシステム１５０２を備えている。プロセッササブシステムは、内部キャッシュメモリも含む。プロセッササブシステム１５０２は、例えば、ＳＲＡＭ、フラッシュ及びＳＤＲＡＭコンポーネントを含むメモリより成るメモリサブシステム１５０６に接続される。このメモリサブシステムは、良く知られたようにデータアクセスを容易にするために１つ以上のＤＭＡタイプのハードウェアで実施される。
【０１１５】
無線／モデムサブシステム１５０８は、デジタル基本帯域、アナログ基本帯域、ＴＸフロントエンド及びＲＸフロントエンドを含む。装置１５００は、更に、アンテナアッセンブリも備え、選択コンポーネントは、特定の周波数レンジ又は特定のタイムスロットに対して種々のアンテナ動作モードを可能にするための複数のスイッチを含む。特定のアーキテクチャーについて述べるが、ある実施形態では、本開示が与えられると当業者に明らかなように、あるコンポーネントが除去されるか、さもなければ、互いに合体されてもよい（３ＧデジタルＲＦに使用されるタイプの、結合されたＲＦ  ＲＸ、ＲＦ  ＴＸ及びＡＢＢのように）。
【０１１６】
アナログ基本帯域は、典型的に、無線フロントエンドの動作を制御し、それ故、デジタル基本帯域モデムは、ページングチャンネルメッセージを受信するためのパラメータをアナログ基本帯域にロードする。選択コンポーネントは、そのような制御機能をデジタル基本帯域モデムからオフロードするためにページングチャンネルメッセージを受信するようアナログ基本帯域により制御される。
【０１１７】
ここに示す電力管理サブシステム（ＰＭＳ）１５１０は、ＵＥに電力を供給するものであり、集積回路及び／又は複数の個別の電気的コンポーネントで構成される。１つの規範的なポータブルＵＥ装置では、電力管理サブシステム１００６は、好都合にも、バッテリとインターフェイスする。
【０１１８】
ユーザインターフェイスシステム１５１２は、多数の良く知られたＩ／Ｏを備え、これは、キーパッド、タッチスクリーン、ＬＣＤディスプレイ、バックライト、スピーカ及びマイクロホンを含むが、これに限定されない。しかしながら、ある用途では、これらコンポーネントの１つ以上を除去できることが認識される。例えば、ＰＣＭＣＩＡカードタイプのＵＥ実施形態では、ユーザインターフェイスがなくてもよい（それらが物理的及び／又は電気的に結合された装置のユーザインターフェイスに便乗できるからである）。
【０１１９】
装置１５００は、更に、任意の付加的な周辺装置１５１４も備え、これは、１つ以上のＧＰＳトランシーバ、又はネットワークインターフェイス、例えば、ＩｒＤＡポート、Ｂｌｕｅｔｏｏｔｈトランシーバ、ＵＳＢ、Ｆｉｒｅｗｉｒｅ、等を含むが、これに限定されない。しかしながら、これらのコンポーネントは、本発明の原理によるＵＥの動作には要求されないことが認識される。
【０１２０】
ここに示す実施形態では、モデムサブシステム１５０８は、更に、ページング合意を要求し、ページング合意をリフレッシュし、そしてページング合意に基づいてページングメッセージを選択的に受信するためのサブシステム又はモジュールも備えている。これらのサブシステムは、ソフトウェア又はハードウェアで具現化され、無線モデムサブシステムに結合される。或いは又、別の変形例では、サブシステムは、プロセッササブシステム１５０２に直結されてもよい。
【０１２１】
規範的なＵＥは、現在コンテクスト情報を含む更新メッセージを送信するように構成され、この更新メッセージは、ページング合意の発生を容易にする。その後、ＵＥは、送信されたコンテクスト情報に基づいて、ページング合意を受信する。受け容れられたページング合意は、更なる動作に使用される（上述した図１３及び１４を参照されたい）。
【０１２２】
１つの規範的な実施形態において、ＵＥ装置は、ページング合意及びそれに関連したコンテクスト情報に基づいてページングチャンネル受信を構成する。ＵＥ装置がページング合意を受信すると、リフレッシュメッセージを周期的に送信して現在ページング合意を延長するように「心臓鼓動」タイマーがセットされる。ＵＥがページング合意の終了を希望する場合には、ＵＥは、単に心臓鼓動の送信を拒絶する。更に別の実施形態では、心臓鼓動メッセージは、ベースステーションの内部データベースに対する他のコンテクスト情報又は補足的更新を含む。
【０１２３】
動作中に、ＵＥ装置は、ページング合意のリソース及びスケジューリングに対してページングチャンネル受信を最適化することができる。１つの規範的な具現化では、ＵＥは、考えられる全てのコンポーネントキャリアのサブセットをチェックするだけである。タイマー具現化、コンテクスト情報及び条件付きページングチャンネル受信の他の変形例は、本開示が与えられれば、当業者によって容易に具現化されよう。
【０１２４】
ビジネス方法及びルール
以上のネットワーク装置及び方法は、種々のビジネスモデルに容易に適応されることが認識される。
【０１２５】
１つのビジネスパラダイムにおいて、適当に構成されたユーザ装置（例えば、ＵＥ１５００）は、改善されたページングメッセージを受信し、そして既存のページングチャンネルを効率的に監視し、従って、知覚される全体的な経験のクオリティを高める。１つのそのような実施形態では、ページングチャンネルの専用サブセットが、イネーブルされたＵＥに割り当てられる。従って、レガシー装置は、全てのページングチャンネルを（比較的非効率的な仕方で）広く監視し続けるが、本発明によるＵＥ装置１５００は、ページングチャンネルの指定のサブセットしか監視しない。この解決策は、著しく効率的であり、そして電力消費を大幅に改善し、それにより、ユーザ経験の改善及び競合製品に対する区別化を導く。
【０１２６】
又、上述したネットワーク装置及び方法は、基礎となるビジネスルールアルゴリズム又は「エンジン」に基づき動作に容易に適応される。このビジネスルールエンジンは、例えば、ソフトウェアアプリケーション（及び／又はファームウェア又はハードウェア態様）を含み、そして一実施形態では、ベースステーションにおいて個別のエンティティとして具現化される。ビジネスルールエンジンは、フェムトセル配備において特に有益である（例えば、小さな会社による改善された提案又は住居用装置の一部として）。ルールエンジンは、実際には、上位レイヤの監視プロセスで、財務的観点、ユーザ経験の改善、等の重要な基準に基づいて動作上の判断又はリソース割り当てを行う上でベースステーションのオペレータ（又は関心のある他の当事者）の助けとなる。
【０１２７】
一実施形態において、ビジネスルールエンジンは、１人以上のユーザにリソースを与えることに関連した収入及び／又は利益の影響を考慮するよう構成される。従って、規範的なビジネスルールエンジンは、システムのページングチャンネル振舞いを変更して、広い底辺のユーザをサポートし（例えば、ユーザ当たりより少数のＣＣスライスを使用して）、或いは又、レガシーサポート又は頑健な動作を行うことができる（例えば、ユーザ当たりより多くのＣＣスライスを割り当てて）。
【０１２８】
例えば、１つの例において、リソース（例えば、周波数スペクトル）についての一群のユーザからの要求を評価することは、種々の割り当てオプションに関連した増分的コスト、収入、及び／又は利益の分析を含む。あるケースでは、ネットワークプロバイダーは、新たなサービス要求が普通でなく、従って、ページングの重要度が低いことを決定する。他のケースでは、ネットワークプロバイダーは、新たなユーザ及びサービスが頻繁にセルに出入りすることを決定し、従って、より多くのページングリソースの割り当てを要求する。これらの「ビジネスルール」は、例えば、リソース要求時に課せられ、次いで、ある期間中（又は再評価をトリガーする事象が生じるまで）維持されるか、或いは周期的モデルに従って維持される。
【０１２９】
本開示が与えられれば、リソースの動的な割り当てを具現化する他の多数のスキームが当業者によって認識されよう。
【０１３０】
本発明の幾つかの態様を方法ステップの特定シーケンスに関して説明したが、これらの説明は、本発明の広い方法を単に例示するものに過ぎず、特定の用途で要求されるように変更できることが認識される。あるステップは、ある環境のもとでは不要とされ又は任意とされる。更に、ここに開示された実施形態に幾つかのステップ又は機能を追加することもできるし、或いは２つ以上のステップの実行順序を入れ替えることもできる。このような変更は、全て、特許請求の範囲内に包含されると考えられる。
【０１３１】
本発明の新規な特徴を種々の実施形態に適用して、以上に詳細に説明したが、当業者であれば、本発明から逸脱せずに、ここに示す装置又はプロセスの形態及び細部に種々の省略、置き換え及び変更がなされ得ることが理解されよう。又、以上の説明は、本発明を実施するのに現在意図された最良の態様である。この説明は、これに限定されるものではなく、本発明の一般的な原理を例示するに過ぎない。本発明の範囲は、特許請求の範囲に基づいて決定されるべきである。
【符号の説明】
【０１３２】
６０４：移動管理エンティティ（ＭＭＥ）
６１０：ネットワークページ
７００：ページングシステム
７０２：ページングチャンネルメッセージ
１２００：ｅＮＢ
１２０２：基板
１２０４：処理サブシステム
１２０６：電源
１２０８：ハードドライブ
１２１０：ＤＳＬサブシステム
１２１２：モデムサブシステム
１２１４：内部データベース
１３０２：移動装置ＩＤ
１３０４：ハードウェアバージョン
１３０６：コンポーネントキャリア選択
１４０２：ページング合意バージョン
１４０４：リフレッシュタイマー
１４０６：コンポーネントキャリア
１４０８：行先移動装置ＩＤ
１４５２：ＵＥ  ＩＤ
１４５４：セルＩＤ
１４５６：選択されたコンポーネントキャリア
１４５８：ウオッチドッグタイマー
１４６０：リフレッシュタイマー
１５００：ＵＥ２
１５０２：処理サブシステム
１５０４：基板
１５０６：メモリサブシステム
１５０８：無線モデムサブシステム
１５１０：電源管理サブシステム
１５１２：ユーザインターフェイスシステム
１５１４：付加的な周辺装置
【図１Ａ】
2020156095.tif 000003
【図１Ｂ】
2020156095.tif 000004
【図１Ｃ】
2020156095.tif 000005
【図１Ｄ】
2020156095.tif 000006
【図２】
2020156095.tif 000007
【図３】
2020156095.tif 000008
【図４】
2020156095.tif 000009
【図５】
2020156095.tif 000010
【図６】
2020156095.tif 000011
【図７】
2020156095.tif 000012
【図８】
2020156095.tif 000013
【図９】
2020156095.tif 000014
【図１０】
2020156095.tif 000015
【図１１】
2020156095.tif 000016
【図１２】
2020156095.tif 000017
【図１３】
2020156095.tif 000018
【図１４】
2020156095.tif 000019
【図１４Ａ】
2020156095.tif 000020
【図１５】
2020156095.tif 000021
【手続補正書】
【提出日】令和2年7月3日(2020.7.3)
【手続補正１】
【補正対象書類名】特許請求の範囲
【補正対象項目名】全文
【補正方法】変更
【補正の内容】
【特許請求の範囲】
【請求項１】
ネットワークへの接続を確立するように構成されたトランシーバと、
動作を実行するように構成されたプロセッサと、
を備えたユーザ装置（ＵＥ）であって、
前記動作は、
前記ネットワークのベースステーションにコンテクスト情報を送信することと、
選択されたリソースのページングチャンネルのみを使用して前記ベースステーションからページング情報を受信することと、
前記ベースステーションにメッセージを送信することと、
を含み、
前記ベースステーションは、前記メッセージに基づいて前記ページング合意をリフレッシュする、
ユーザ装置。
【請求項２】
前記ページング情報は、前記ＵＥと前記ベースステーションとの間のページング合意のパラメータに対応する、
請求項１記載のユーザ装置。
【請求項３】
前記ページング合意は、コアネットワークの関与なしに確立される、
請求項２記載のユーザ装置。
【請求項４】
前記ページング情報は、前記ＵＥと前記ベースステーションとの間で使用されるアクティブなコンポーネントキャリアを識別する、
請求項１記載のユーザ装置。
【請求項５】
前記コンテクスト情報は、移動装置アイデンティティ情報、ハードウェアバージョン、示唆された無線リソース及び受信データの少なくとも１つを含む、
請求項１記載のユーザ装置。
【請求項６】
ユーザ装置（ＵＥ）により、前記ネットワークのベースステーションにコンテクスト情報を送信することと、
選択されたリソースのページングチャンネルのみを使用して前記ベースステーションからページング情報を受信することと、
前記ベースステーションにメッセージを送信することと、
を含み、
前記ベースステーションは、前記メッセージに基づいて前記ページング合意をリフレッシュする、
方法。
【請求項７】
前記ページング情報は、前記ＵＥと前記ベースステーションとの間のページング合意のパラメータに対応する、
請求項６記載の方法。
【請求項８】
前記ページング合意は、コアネットワークの関与なしに確立される、
請求項７記載の方法。
【請求項９】
前記ページング情報は、前記ＵＥと前記ベースステーションとの間で使用されるアクティブなコンポーネントキャリアを識別する、
請求項６記載の方法。
【請求項１０】
前記コンテクスト情報は、移動装置アイデンティティ情報、ハードウェアバージョン、示唆された無線リソース及び受信データの少なくとも１つを含む、
請求項６記載の方法。
【請求項１１】
ネットワークへの接続を確立するように構成されたトランシーバと、
動作を実行するように構成されたプロセッサと、
を備えたユーザ装置（ＵＥ）であって、
前記動作は、
選択されたリソースのページングチャンネルのみを使用して前記ベースステーションからページング合意を受信することと、
前記ページング合意に基づいて前記ベースステーションにメッセージを送信することと、
を含み、
前記ベースステーションは、前記メッセージに基づいて前記ページング合意をリフレッシュする、
ユーザ装置。
【請求項１２】
前記ページング合意は、コアネットワークの関与なしに確立される、
請求項１１記載のユーザ装置。
【請求項１３】
前記ページング合意は、前記ＵＥと前記ベースステーションとの間で使用されるアクティブなコンポーネントキャリアを識別する、
請求項１１記載のユーザ装置。
【請求項１４】
前記ページング合意は、ページング送信のため前記ベースステーションにより利用される無線リソースを識別する、
請求項１１記載のユーザ装置。
【請求項１５】
前記ベースステーションは、追跡エリアの複数のベースステーションのうちの１つである、
請求項１１記載のユーザ装置。
【請求項１６】
前記メッセージは、心臓鼓動メッセージ又はサービスパルスメッセージのうちの１つである、
請求項１１記載のユーザ装置。
【請求項１７】
前記動作は、
移動装置アイデンティティ情報、ハードウェアバージョン、示唆された無線リソース及び受信データの少なくとも１つを含むコンテクスト情報を前記ベースステーションに送信することを更に含む、
請求項１１記載のユーザ装置。
【外国語明細書】
2020156095000001.pdf